(57)【要約】【課題】断熱扉の製造工程を簡素化すると共に、コストを低減化する。【解決手段】扉表側面材１４の２辺に装着される両扉キャップ１９に延出部２０を一体に設け、扉裏側面材２７は、それら延出部２０と、扉表側面材１４の２辺の折返し部１５ａ，１５ｂにねじ２９により取り付ける。扉表側面材１４の折返し部１５ａ，１５ｂとしては、扉キャップ１９を装着しない２辺のみに形成すれば良い。このため、扉表側面材の４辺すべてに折返し部を形成していた従来構成とは違い、折返し部を形成する工程が２辺分少なくなり、その分、断熱扉の製造工程を簡素化できると共に、コストを低減化することが可能となる。【選択図】  図１
2004169945.tif 000002
【特許請求の範囲】
【請求項１】
ほぼ矩形状をなし対向する２辺に裏側へ折り返された折返し部を一体に有した扉表側面材と、この扉表側面材の前記折返し部がない２辺に装着される２個の扉キャップと、前記扉表側面材の裏側に配置される扉裏側面材とから扉外殻を形成すると共に、この扉外殻の内部の空間部に発泡性断熱材を発泡充填して構成される断熱扉を備えた貯蔵庫において、
前記断熱扉における前記両扉キャップに、前記扉裏側面材と重なり合う延出部を一体に設け、前記扉裏側面材を、前記延出部と前記折返し部にねじ止めする構成としたことを特徴とする貯蔵庫。
【請求項２】
前記延出部において前記扉裏側面材と対向する面で、かつ前記扉裏側面材をねじ止めする部分に対応する部位に、溝部を形成したことを特徴とする請求項１記載の貯蔵庫。
【発明の詳細な説明】
【０００１】
【発明の属する技術分野】
本発明は、断熱扉を備えた貯蔵庫に関する。
【０００２】
【従来の技術】
従来、貯蔵庫の断熱扉としては、例えば図６に示す構成のものがある。すなわち、鋼板製の扉表側面材１は、ほぼ矩形状をなしていて、左右２辺に裏側へ折り返された折返し部２ａ，２ｂを一体に有すると共に、上下の２辺にも裏側へ折り返された折返し部２ｃ，２ｄを一体に有する構成とし、これら各折返し部２ａ〜２ｄにそれぞれねじ孔３を形成する。扉表側面材１の上下の２辺には、合成樹脂製の扉キャップ４，４を装着する。そして、扉表側面材１の裏側に合成樹脂製の扉裏側面材５を配置し、この扉裏側面材５を、上記各折り返し部２ａ〜２ｄに前記ねじ孔３を利用してねじ６によりねじ止めする。扉裏側面材５には、発泡性断熱材を注入するための注入孔７を形成している。これら扉表側面材１と、２個の扉キャップ４，４と、扉裏側面材５とにより扉外殻８を形成し、上記注入孔７から扉外殻８の内部の空間部に発泡性断熱材（図示せず）を注入し、これを発泡充填させることにより断熱扉を構成する。なお、このような構成の断熱扉の裏側の周縁部には、図示はしないがシール用のマグネットガスケットが取り付けられる。
【０００３】
なお、本件発明の課題とは直接関係はないが、例えば冷蔵庫における断熱扉においては、次のような構成のものがある。すなわち、この断熱扉は、ほぼ矩形状をなし対向する２辺に裏側へ折り返された折返し部を一体に有する鋼板製の扉表側面材と、この扉表側面材の前記折返し部がない２辺に装着される合成樹脂製の２個の扉キャップと、扉表側面材の裏側に配置される合成樹脂製の扉裏側面材とにより扉外殻を形成すると共に、この扉外殻の内部の空間部に発泡性断熱材を発泡充填して構成されている（例えば、特許文献１参照）。
【０００４】
【特許文献１】
特開２０００−８８４４４号公報（段落番号［００１７］〜［００２３］、図１）
【０００５】
【発明が解決しようとする課題】
上記した図６の従来構成のものでは、次のような欠点がある。すなわち、扉表側面材１には、扉裏側面材５をねじ止めするために、４辺すべてに折返し部２ａ〜２ｄを形成するようにしている。このため、扉表側面材１において、それら折返し部２ａ〜２ｄを形成するための製造工程が多くなり、ひいては断熱扉の製造工程が多くなると共に、コストが高くなるという欠点がある。
【０００６】
本発明は上記事情に鑑みてなされたものであり、その目的は、断熱扉の製造工程を簡素化することができると共に、コストを低減化することが可能な貯蔵庫を提供するにある。
【０００７】
【課題を解決するための手段】
上記した目的を達成するために、請求項１の発明は、ほぼ矩形状をなし対向する２辺に裏側へ折り返された折返し部を一体に有した扉表側面材と、この扉表側面材の前記折返し部がない２辺に装着される２個の扉キャップと、前記扉表側面材の裏側に配置される扉裏側面材とから扉外殻を形成すると共に、この扉外殻の内部の空間部に発泡性断熱材を発泡充填して構成される断熱扉を備えた貯蔵庫において、前記断熱扉における前記両扉キャップに、前記扉裏側面材と重なり合う延出部を一体に設け、前記扉裏側面材を、前記延出部と前記折返し部にねじ止めする構成としたことを特徴とする。
【０００８】
上記した構成によれば、扉表側面材の２辺に装着される両扉キャップに、扉裏側面材をねじ止めするための延出部を一体に設けたので、扉表側面材の折返し部としては、扉キャップを装着しない２辺のみに形成すれば良い。このため、扉表側面材の４辺すべてに折返し部を形成していた従来構成とは違い、折返し部を形成する工程が２辺分少なくなり、その分、断熱扉の製造工程を簡素化できると共に、コストを低減化することが可能となる。
【０００９】
請求項２の発明は、前記延出部において前記扉裏側面材と対向する面で、かつ前記扉裏側面材をねじ止めする部分に対応する部位に、溝部を形成したことを特徴とする。
これによれば、扉裏側面材を扉キャップの延出部にねじ止めする際に、その延出部においてねじの先端が、前記溝部により滑り難くなり、位置決めし易くなるため、ねじ止め作業が行い易くなる。
【００１０】
【発明の実施の形態】
以下、本発明の一実施例について図１ないし図５を参照して説明する。
まず、図２には、貯蔵庫としてストッカー１１が示されている。このストッカー１１の本体１２は、図示はしないが上面が開口した貯蔵室を有していて、上部に、その貯蔵室を開閉する断熱扉１３が後端部を支点にして回動可能に枢支されている。断熱扉１３は、横長の矩形状をなしている。
【００１１】
図１には上記断熱扉１３の分解斜視図が示され、図３には、この断熱扉１３の要部の断面図が示されている。断熱扉１３の表側を形成する扉表側面材１４は、鋼板により横長の矩形状に形成されていて、周囲の４辺のうち、対向する前後の２辺に、裏側（図１において上側）へ折り返された折返し部１５ａ，１５ｂを一体に形成している。前後の両折返し部１５ａ，１５ｂには、それぞれ複数個のねじ孔１６が形成され、また、前側の折返し部１５ａの左右方向の中央部にはハンドル１７が取り付けられている。なお、扉表側面材１４の内面にはポリエチレン製のシート１８が配置されている。
【００１２】
上記扉表側面材１４の４辺のうち、上記折返し部１５ａ，１５ｂが形成されていない左右の２辺には、合成樹脂製の扉キャップ１９，１９を嵌合により装着している。これら各扉キャップ１９には、相手側に向けて突出するように延出部２０が一体に設けられている。その延出部２０の裏面側（図１において上面側）には、複数箇所にそれぞれ複数本の細い溝部２１（図４及び図５参照）が形成されている。
【００１３】
扉表側面材１４の裏側には、当該扉表側面材１４の裏側の開口部を塞ぐように背面紙２２を両面テープ２３を介して取り付けている。両面テープ２３は、折返し部１５ａ，１５ｂと両扉キャップ１９の延出部２０とに枠状となるように貼り付けている。背面紙２２の中央部には、円形の孔２４が形成されている。なお、背面紙２２の周縁部は、ビニールテープ２５で裏側から押え付けている。
【００１４】
背面紙２２の裏側には、矩形枠状のガスケット２６と矩形板状の合成樹脂製の扉裏側面材２７を配置している。ガスケット２６には、マグネット２６ａ（図３参照）が設けられている。扉裏側面材２７は、周縁部にフランジ部２７ａを有していて、これらフランジ部２７ａが上記両折返し部１５ａ，１５ｂ及び両延出部２０に対して裏側から重なり合う形状をなしている。各フランジ部２７ａには、折返し部１５ａ，１５ｂの各ねじ孔１６に対応する部位、及び各延出部２０の各溝部２１に対応する部位に位置させてねじ挿通孔２８が形成されている。
【００１５】
扉裏側面材２７は、ガスケット２６の内部に挿入し、図３に示すように、フランジ部２７ａにてガスケット２６の一部を上記各延出部２０及び上記折返し部１５ａ，１５ｂに押え付ける状態で、ねじ２９によりそれら各延出部２０及び折返し部１５ａ，１５ｂに固定している。この場合、折返し部１５ａ，１５ｂに対応するねじ２９は、フランジ部２７ａのねじ挿通孔２８を挿通すると共に背面紙２２を貫通し、折返し部１５ａ，１５ｂのねじ孔１６にねじ込むことにより取り付けられ、延出部２０に対応するねじ２９は、フランジ部２７ａのねじ挿通孔２８を挿通すると共に背面紙２２を貫通し、延出部２０にねじ込むことにより取り付けられる（図３参照）。上記扉裏側面材２７の中央部には、背面紙２２の孔２４に対応する円形の注入孔３０が形成されている。
【００１６】
ここで、扉表側面材１４と、左右両側の扉キャップ１９と、扉裏側面材２７とにより、断熱扉１３の扉外殻３１を形成している。そして、発泡性断熱材の原液を、上記注入孔３０から孔２４を通して、背面紙２２と扉表側面材１４との間に形成される空間部３２に注入して発泡させることにより、その空間部３２に発泡性断熱材３３が充填される。以上により、断熱扉１３が構成されている。
【００１７】
上記した実施例によれば、次のような効果を得ることができる。
断熱扉１３において、扉表側面材１４の２辺に装着される両扉キャップ１９に、扉裏側面材２７をねじ止めするための延出部２０を一体に設けたので、扉表側面材１４の折返し部１５ａ，１５ｂとしては、扉キャップ１９を装着しない２辺のみに形成すれば良い。このため、扉表側面材の４辺すべてに折返し部を形成していた従来構成とは違い、折返し部を形成する工程が２辺分少なくなり、その分、断熱扉１３の製造工程を簡素化できると共に、コストを低減化することが可能となる。
【００１８】
また、各扉キャップ１９の延出部２０には、扉裏側面材２７のねじ挿通孔２８と対応する部分に位置させて、複数の溝部２１を形成しているので、扉裏側面材２７をその延出部２０にねじ止めする際に、その延出部２０においてねじ２９の先端が、前記溝部２１により滑り難くなり、位置決めし易くなるため、ねじ止め作業が行い易くなる。
【００１９】
本発明は、上記した実施例にのみ限定されるものではなく、次のように変形または拡張できる。
本発明は、ストッカー１１の断熱扉１３に限られず、冷蔵庫や温蔵庫の断熱扉にも適用できる。
【００２０】
【発明の効果】
以上の説明から明らかなように、本発明によれば、扉表側面材の２辺に装着される両扉キャップに、扉裏側面材をねじ止めするための延出部を一体に設けたので、扉表側面材の折返し部としては、扉キャップを装着しない２辺のみに形成すれば良い。このため、扉表側面材の４辺すべてに折返し部を形成していた従来構成とは違い、折返し部を形成する工程が２辺分少なくなり、その分、断熱扉の製造工程を簡素化できると共に、コストを低減化することが可能となる。
【図面の簡単な説明】
【図１】本発明の一実施例を示す断熱扉の分解斜視図
【図２】ストッカーの斜視図
【図３】図２中、Ｘ−Ｘ線に沿う要部の断面図
【図４】扉キャップの要部の正面図
【図５】図４中、Ｙ−Ｙ線に沿う拡大断面図
【図６】従来構成の断熱扉の分解斜視図
【符号の説明】
１１はストッカー（貯蔵庫）、１２は本体、１３は断熱扉、１４は扉表側面材、１５ａ，１５ｂは折返し部、１６はねじ孔、１９は扉キャップ、２０は延出部、２１は溝部、２６はガスケット、２７は扉裏側面材、２８はねじ挿通孔、２９はねじ、３１は扉外殻、３２は空間部、３３は発泡性断熱材を示す。
【図１】
2004169945.tif 000003
【図２】
2004169945.tif 000004
【図３】
2004169945.tif 000005
【図４】
2004169945.tif 000006
【図５】
2004169945.tif 000007
【図６】
2004169945.tif 000008